(57)【要約】【課題】コストアップを招くことなく、機能別の誤取付を防止することのできる照明器具を提供する。【解決手段】照明器具１０に設けられている制御部４０が、所定の機能に応じてランプ２１の光出力を制御して照明する。この制御部４０に、テストモードと標準動作モードとを切り替えるモードスイッチ４１を設けて、テストモード時には所定の機能に対応してランプ２１の光出力を変えるようにしたので、容易に、機能別の接続状態をチェックすることができる。また、従来のように、機能別にコネクタを変える必要がないので、コストダウンを図ることができる。【選択図】図９
2010244993.tif 000002
【特許請求の範囲】
【請求項１】
ランプと、
前記ランプを収容する器具本体と、
前記ランプの光出力を制御する制御部とを有する照明器具であって、
前記制御部に、テストモードと標準動作モードとを切り替えるモードスイッチを設け、
テストモード時には所定の機能に対応して前記ランプの光出力を変えることを特徴とする照明器具。
【請求項２】
前記制御部が、施工時に電源ＯＮすると自動的にテストモードになり、一定時間経過後に標準動作モードに切り替わることを特徴とする請求項１記載の照明器具。
【請求項３】
前記制御部は、テストモード時における誤取付検出により明るさを切り替える際に、前記蛍光ランプを消灯させないことを特徴とする請求項１または２記載の照明器具。
【発明の詳細な説明】
【技術分野】
【０００１】
本発明は、照明環境を検知する検知手段を備えた照明器具に関するものである。
【背景技術】
【０００２】
従来より、照明環境を検知する検知手段を備えて環境に適応した照明を行うことができる照明器具が提案されている（例えば特許文献１参照）。
図１９に示すように、特許文献１に記載の照明器具１００は、器具透光開口１０１を有する器具本体１０２と、この器具本体１０２に装着されるランプ１０３を点灯させる安定器（図示省略）と、ランプ１０３によって照明される床面の明るさを検知する明るさセンサ１０４及び明るさセンサの何れかと、この明るさセンサ１０４及び明るさセンサの何れかの信号を受けてランプ１０３の光出力を調整する調光装置（図示省略）とを備えている。明るさセンサ１０４及び明るさセンサの何れかは、器具透光開口１０１の略中央部に配置されている。
【先行技術文献】
【特許文献】
【０００３】
【特許文献１】特開２０００−１３３０４０号公報（第１図）
【発明の概要】
【発明が解決しようとする課題】
【０００４】
ところで、前述したようなセンサ付きの照明器具においては、照明器具を取り付ける施工時に、センサや点灯装置等の接続状態をチェックすることが行われている。例えば、センサと点灯装置を接続して、電源をＯＮにしてスイッチを切り替えることにより明るさが変われば正常であると判断する。この場合、センサや点灯装置として、所望の機能を果たす部品が用いられているかの判断ができず、誤取付のチェックは、部品の品番を確認することや、機能別にコネクタを変えて行われていた。
【０００５】
しかしながら、このような従来の施工時チェックにおいて、部品の品番の確認による場合には、確認を誤るおそれがある。また、コネクタを機能に応じて変えると、部品の共通化ができずコストアップを招くおそれがあるという問題があった。
【０００６】
本発明は、従来の問題を解決するためになされたもので、コストアップを招くことなく、機能別の誤取付を防止することのできる照明器具を提供することを目的とする。
【課題を解決するための手段】
【０００７】
本発明の照明器具は、ランプと、前記ランプを収容する器具本体と、前記ランプの光出力を制御する制御部とを有する照明器具であって、前記制御部に、テストモードと標準動作モードとを切り替えるモードスイッチを設け、テストモード時には所定の機能に対応して前記ランプの光出力を変える構成を有している。
【０００８】
この構成により、照明器具に設けられている制御部が、所定の機能に応じてランプの光出力を制御して照明する。この制御部に、テストモードと標準動作モードとを切り替えるモードスイッチを設けて、テストモード時には所定の機能に対応してランプの光出力を変えるようにしたので、容易に、機能別の接続状態をチェックすることができる。また、従来のように、機能別にコネクタを変える必要がないので、コストダウンを図ることができる。
【０００９】
また、本発明の照明器具は、前記制御部が、施工時に電源ＯＮすると自動的にテストモードになり、一定時間経過後に標準動作モードに切り替わる構成を有している。
【００１０】
この構成により、施工時に電源ＯＮすると、制御部は自動的にテストモードになるので、確実にチェックを行うことができる。また、一定時間経過後に制御部は標準動作モードに切り替わるので、スイッチを切り替えることなく、通常使用が可能になる。
【００１１】
さらに、本発明の照明器具は、前記制御部は、テストモード時における誤取付検出により明るさを切り替える際に、前記蛍光ランプを消灯させない構成を有している。
【００１２】
この構成により、テストモード時には、蛍光ランプを消灯させないので、通常使用者が誤ってスイッチをテストモードに切り替えても、暗くなることによる危険を回避することができる。
【発明の効果】
【００１３】
本発明は、制御部に、テストモードと標準動作モードとを切り替えるモードスイッチを設けて、テストモード時には所定の機能に対応してランプの光出力を変えるようにしたので、容易に、機能別の接続状態をチェックすることができる。また、従来のように、機能別にコネクタを変える必要がないので、コストダウンを図ることができるという効果を有する照明器具を提供することができるものである。
【図面の簡単な説明】
【００１４】
【図１】本発明の実施形態にかかる照明器具の分解斜視図
【図２】照明器具の断面図
【図３】センサケースの斜視図
【図４】（Ａ）はセンサユニットを内蔵したセンサケースの正面図、（Ｂ）は（Ａ）中Ｂ方向から見た底面図、（Ｃ）は（Ａ）中Ｃ方向から見た側面図、（Ｄ）は（Ａ）中Ｄ方向から見た側面図
【図５】（Ａ）はセンサスイッチの平面図、（Ｂ）は側面図
【図６】（Ａ）は別のセンサスイッチの平面図、（Ｂ）は側面図
【図７】（Ａ）は内カバーを設けたセンサスイッチの平面図、（Ｂ）は側面図、（Ｃ）は回転規制範囲が異なるセンサスイッチの平面図
【図８】１個のロータリースイッチを異なる２個の安定器に用いる場合を示す説明図
【図９】（Ａ）及び（Ｂ）は制御部の斜視図
【図１０】各モードに対する安定器とセンサユニットとの接続確認を示す表
【図１１】（Ａ）は人感センサを仕切りカバーで覆った場合を示す断面図（Ｂ）は人感センサと蛍光ランプとの間に仕切り板を設けた場合を示す断面図
【図１２】（Ａ）及び（Ｂ）はセンサ素子をカバーの奥に設置した場合を示す断面図
【図１３】（Ａ）及び（Ｂ）はセンサ素子の周囲に仕切り部品を設けた場合を示す断面図
【図１４】人感センサを傾けた場合を示す説明図
【図１５】（Ａ）は仕切り部品として導光板を設けた場合を示す断面図、（Ｂ）は導光板の拡大図
【図１６】（Ａ）はセンサケースの斜視図、（Ｂ）は（Ａ）中Ｂ−Ｂ位置の断面図
【図１７】（Ａ）はセンサケースの分割面が蛍光ランプと平行な場合を示す斜視図、（Ｂ）はセンサケースの分割面が蛍光ランプと直交する場合を示す斜視図
【図１８】センサケースの別の例を示す分解斜視図
【図１９】従来の照明環境を検知する検知手段を備えた照明器具の斜視図
【発明を実施するための形態】
【００１５】
以下、本発明の実施形態にかかる照明器具について、図面を用いて説明する。
図１および図２に示すように、本発明の実施形態にかかる照明器具１０は、例えば、天井１１に取り付けて使用されるものであり、照明環境を検知する検知手段を備えている。
照明器具１０は、天井１１に取り付けられているボルト１２及びナット１３等の取付部材に取り付けられる器具本体２０と、ランプとしての直管形の蛍光ランプ２１と、蛍光ランプ２１の光を下方へ反射する反射板２２を有する。
【００１６】
器具本体２０は、例えば下方に開口した矩形箱状をしており、天板２０１の下面長手方向の両端部には蛍光ランプ２１を着脱可能に装着する一対のランプソケット２３、２３を有する。また、天板２０１の下面には、ランプソケット２３に点灯用の電力を供給する安定器およびこれを制御する制御装置等を内蔵する制御部４０が設けられている。制御部４０には、照明範囲の明るさや人の有無等の照明環境を検知する検知手段としてのセンサユニット３０が接続されており、センサユニット３０は、センサケース３１の中に収容される。
【００１７】
反射板２２は、上方に開口した箱状部材であり、下方（図１において下方）から器具本体２０に被せられる。反射板２２は、中央に水平な底部２２１を有し、底部２２１の左右両側には、蛍光ランプ２１の光を下方へ反射すべく傾斜した左右一対の反射面２２２、２２２を有する。反射板２２の底部２２１の長手方向両端部には一対のソケット用開口２２３、２２３が設けられており、中央部にはセンサ用開口２２４が設けられている。
従って、反射板２２を器具本体２０に被せて取り付けると、ソケット用開口２２３からランプソケット２３が下方へ突出し、センサ用開口２２４からセンサケース３１が下方に露出する。
【００１８】
図３及び図４に示すように、センサユニット３０を内蔵するセンサケース３１は、矩形箱状をしている。上面３１１は開口しており、先端にコネクタ３０１を有するケーブル３０２が突出している。このケーブル３０２は、コネクタ３０１を介して制御部４０に接続される。左右両側面３１２、３１２の上端部には、センサケース３１を器具本体２０や反射板２２に取り付けるための係止爪３１３が設けられている。下面３１４では、センサケース３１に内蔵されているセンサユニット３０の明るさセンサや人感センサ等のセンサ３０６が下方に露出している。また、下面３１４には、モードの切り替え等を行うセンサスイッチ３２が設けられている。センサスイッチ３２には、ロータリースイッチが用いられている。以後の説明において、「センサスイッチ３２」を「ロータリースイッチ３２」で表示する場合もある。
【００１９】
図５に示すように、ロータリースイッチ３２は、スイッチ本体３２１に回転可能に設けられている回転軸３２２を有しており、回転軸３２２の先端は、ロータリースイッチ３２を覆うカバーとしてのセンサケース３１の下面３１４から突出している。なお、図示はしないが、回転軸３２２の先端に、操作性を良くするためのつまみを取り付けることもある。
【００２０】
回転軸３２２の側面には、突起３２３が取り付けられている。突起３２３は、スイッチケース３１の下面３１４よりもスイッチ本体３２１側に設けられており、下面３１４には当接していない。また、下面３１４の内面３１５には、突起３２３に当接することにより回転軸３２２の回転角度を規制する回転規制部材であるストッパ３２４が設けられている。ストッパ３２４は、回転軸３２２と同心円形状に設けられる。
【００２１】
従って、例えば、ストッパ３２４を半円形のリング状にすれば、回転軸３２２は約１８０度回転可能となる。このため、回転軸３２２が３６０度付近まで回転可能で、調整範囲が３６０度近いロータリースイッチ３２を使用して、調整範囲を一部（例えば、１８０度）に限定することができる。
【００２２】
なお、図５（Ｂ）においては、突起３２３をスイッチ本体３２１から下面３１４の近傍まで設けられているが、ストッパ３２４に対応する範囲にのみ設けることもできる。また、リング状のストッパ３２４に代わって、２個のブロック状のストッパを設けて、回転軸３２２の回転範囲を限定することも可能である。また、突起３２３を薄板状にすることにより、突起３２３の厚さによる回転範囲への影響を小さくすることができる。
【００２３】
図６には、図５に示したロータリースイッチ３２の変形例が示されている。図６に示すロータリースイッチ３２Ｂでは、回転軸３２２の回転角度を規制する回転規制部材として扇状の切欠き３２５が設けられている。また、回転軸３２２に設けられる突起３２３は、センサケース３１の下面３１４に達している。
従って、回転軸３２２の回転範囲は、突起３２３が扇状の切欠き３２５内を移動できる範囲に限定される。例えば、半円の扇状の場合には、略１８０度の調整範囲を得ることができる。
【００２４】
図７には、図６に示したロータリースイッチ３２Ｂの変形例が示されている。図７（Ａ）及び（Ｂ）に示すように、このロータリースイッチ３２Ｃでは、センサケース３１の下面３１４の内側に内カバー３３を設け、内カバー３３に回転規制部材である切欠き３２５を設けた。これに伴い、内カバー３３の外側にある下面３１４には、回転軸３２２が回転可能に貫通する軸穴３１６が設けられている。
このため、図７（Ｃ）に示すような調整範囲が異なるロータリースイッチに対しても、下面３１４の設計（すなわち、センサケース３１の設計）を共通して用いることができる。
【００２５】
図８に示す例では、連続する設定段を第１グループとし、他の連続する設定段を第２グループとし、前記第１グループ及び前記第２グループで安定器の制御方式を変える構成を有している。
この構成により、切り替えスイッチの使用範囲を制限することにより、安定器を共通設計することができるので、コストダウンを図ることができる。
【００２６】
図９には、制御部４０が示されている。図１に示したように、この制御部４０は、前述したセンサユニット３０による検知結果に基づいて安定器（図示省略）等を制御して、ランプソケット２３を介して蛍光ランプ２１に供給する電力を制御するものである。
【００２７】
図９に示すように、制御部４０には、施工時における接続をチェックするためのテストモードと、通常の使用状態である標準動作モードとを切り替えるモードスイッチ４１と、設定スイッチ４２が設けられている。設定スイッチ４２では、例えば、設定１と設定２を切り替えることができる。なお、設定スイッチ４２には、前述したロータリースイッチ３２を用いることができる。
【００２８】
テストモードでは、所定の機能に対応して蛍光ランプ２１の光出力を変えることにより、例えば、安定器とセンサユニット３０との接続確認を行う。
図１０に示すように、安定器及びセンサユニットが共にＡモードに設定されている場合（ケース１）及び安定器及びセンサユニットが共にＢモードに設定されている場合（ケース４）は、接続が正常である。安定器とセンサユニットの設定モードが異なる場合（ケース２及びケース３）には、接続が異常であることを判定する。
【００２９】
確認作業においては、電源をＯＮにしたときに、ケース１、ケース２、ケース４において光出力が１００％で蛍光ランプ２１が明るく点灯する。これにより、５０％で点灯するケース３が検出されて、接続異常、すなわち、安定器がＡモードで、センサユニットがＢモードであることが確認される。
【００３０】
次に、設定スイッチ４２を設定１→設定２へ切り替える。このとき、１００％の光出力で蛍光ランプ２１が点灯した場合、ケース２の接続異常、すなわち、安定器がＢモードで、センサユニットがＡモードであることが確認される。
【００３１】
次に、設定スイッチ４２を設定２→設定１へ切り替える。このとき、１００％の光出力で蛍光ランプ２１が点灯した場合には、ケース４であることが検出される。この場合、接続は正常であり、安定器及びセンサユニットが共にＢモードであることが確認される。また、２５％の光出力で蛍光ランプ２１が点灯した場合には、ケース１であることが検出される。この場合、接続は正常であり、安定器及びセンサユニットが共にＡモードであることが確認される。
【００３２】
なお、施工時には接続確認が欠かせられないので、施工時に電源をＯＮにすると、制御部が自動的にテストモードなるようにすることができる。この場合、図９（Ｂ）に示すように、モードスイッチ４１を設ける必要がない。この場合においては、一定時間経過後に標準動作モードに切り替わるようにする。なお、施工後の通常使用時には、電源をＯＮにしても、テストモードの一定時間以外に設定スイッチ４２を切り替えることができないように、テストモードの時間を設定しておくことにより、通常ではテストモードに変わらないようにする。
【００３３】
また、制御部４０は、テストモード時において接続確認を行う場合には、誤取付検出により明るさを切り替える際に、蛍光ランプ２１を消灯させないように制御する。
【００３４】
図１１（Ａ）に示すように、センサユニット３０には、蛍光ランプ２１の光が人感センサ３０３及び明るさセンサの何れかの検知範囲内に入らないように仕切り部品としての仕切りカバー３４を設けた。これは、蛍光ランプ２１の光を人感センサ３０３が受光すると、蛍光ランプ２１の消灯時の熱量変化を検知して、消灯した瞬間に再度点灯し、人がいない場合でも点滅が繰り返されるいわゆる自己点滅が生じるのを回避するためである。
また、明るさ制御の場合も同様で、蛍光ランプの光が明るさセンサに入射すると、正常な制御ができなくなるのを回避するためである。
【００３５】
仕切りカバー３４は、人感センサ３０３及び明るさセンサの何れかをすっぽりと覆う筒状の遮熱機能を有する部材であり、先端からレンズ３０６が突出している。仕切りカバー３４によって覆うので、意匠性を向上させることができる。なお、仕切りカバー３４はアース接続されている。
ここで、人感センサ３０３及び明るさセンサの何れかは、蛍光ランプ２１の照射側端部２１１よりも反射板２２側で、且つ、反射板２２の幅内に設けられている。また、人感センサ３０３及び明るさセンサの何れかの検知範囲とは、基板３０４に実装されているセンサ素子３０５の位置を基準とする。従って、検出範囲は、センサ素子３０５と筒状の仕切りカバー３４の先端を結んだ内側となる。
【００３６】
図１１（Ｂ）には、仕切り部品として仕切り板３５を設けた場合が示してある。仕切り板３５は、蛍光ランプ２１とセンサユニット３０との間に設けられ、センサ素子３０５と仕切り板３５の先端を結ぶ線Ｌ１が蛍光ランプ２１を横切らない高さとなっている。なお、仕切り板３５はアース接続されている。また、遮熱機能を有する。
【００３７】
図１２（Ａ）に示すように、センサ素子３０５をカバー３０７の奥に設置することにより、蛍光ランプ２１の光がセンサ素子３０５に入光しないようにすることができる。
図１２（Ｂ）では、センサ素子３０５をさらに奥に設置した場合を示す。
【００３８】
図１３（Ａ）に示すように、センサ素子３０５の周囲にリブ３０８を設けることにより、蛍光ランプ２１の光がセンサ素子３０５に入光しないようにすることができる。なお、リブ３０８をセンサ素子３０５の両側に設けた場合を示したが、蛍光ランプ２１側のみに設けることもできる。
図１３（Ｂ）に示すように、センサ素子３０５の周囲にリング状のエリアカット部材３０９を設けることにより、蛍光ランプ２１の光がセンサ素子３０５に入光しないようにすることができる。
【００３９】
図１４では、人感センサ３０３及び明るさセンサの何れかの向きを傾けて、蛍光ランプ２１の光がセンサ素子３０５に入光しないようにした。用途に応じて向きを変えることにより、容易に蛍光ランプ２１の光の入光を回避することができる。
【００４０】
図１５では、仕切り部品として導光板３６を設けた。導光板３６は、蛍光ランプ２１の光を下方へ屈折させて、人感センサ３０３及び明るさセンサの何れかが受光しないようにした。蛍光ランプ２１からの光を遮ることなく人感センサ３０３に入射しないように導くことができ、光出力のロスを抑えることができる。
【００４１】
図１６には、前述したセンサケース３１が示されている。図１６（Ｂ）に示すように、センサケース３１は２パーツ３１Ａ、３１Ｂで構成され、その分割面３１７が分割面３１７に直交する方向に相互に重なるラップ部３１８を有する。
これにより、蛍光ランプ２１からの光がセンサケース３１内部に侵入するのを防止することができ、照明環境を正確に検知して、蛍光ランプ２１の光出力を適正に制御することができる。
【００４２】
図１７（Ａ）に示すように、分割面３１７は蛍光ランプ２１と平行に設けられるのが望ましい。このようにすることにより、図１７（Ｂ）に示すように直交する方向に設ける場合と比して、蛍光ランプ２１からの光はセンサケース３１内部に侵入しにくくなる。
【００４３】
図１８に示すように、センサケース３１を、一面が開口（開口３１９）した箱部３１Ｃと、開口３１９を覆う蓋部３１Ｄとで構成することもできる。
このようにすることにより、箱部３１Ｃに継ぎ目がなく、蛍光ランプ２１からの光がセンサケース３１に侵入するのを防止することができる。
【００４４】
以上、説明した本発明の実施形態にかかる照明器具１０によれば、センサスイッチとしてロータリースイッチ３２を用いるので、従来のスライド式のスイッチに比べて小型化を図ることができる。また、ロータリースイッチ３２の回転軸３２２に突起３２３を設けるとともに、ロータリースイッチ３２を覆うセンサケース３１の下面３１４の内面に、回転軸３２２の突起３２３に当接することにより回転軸３２２の回転角度を規制するストッパ３２４を設けたので、調整範囲が異なる場合でも、同じロータリースイッチ３２を用いることができ、センサスイッチのコストダウンを図って、照明器具１０のコストダウンを図ることができる。
【００４５】
また、ロータリースイッチ３２の回転軸３２２に突起３２３を設けるとともに、ロータリースイッチ３２を覆うセンサケース３１の下面３１４に、突起３２３が所定角度だけ移動可能な扇状の切欠き３２５を設けたので、調整範囲が異なる場合でも、同じロータリースイッチ３２を用いることができ、センサスイッチのコストダウンを図って、照明器具１０のコストダウンを図ることができる。
【００４６】
また、ロータリースイッチ３２を覆うセンサケース３１の下面３１４の内側に、回転軸３２２の回転範囲を限定する内カバー３３を設けたので、調整範囲が異なるロータリースイッチ３２に対して外カバーであるセンサケース３１の下面３１４を共通して用いることができる。
【００４７】
また、切り替えスイッチの使用範囲を制限することにより、安定器を共通設計することができるので、コストダウンを図ることができる。
【００４８】
また、制御部４０に、テストモードと標準動作モードとを切り替えるモードスイッチ４１を設けて、テストモード時には所定の機能に対応して蛍光ランプ２１の光出力を変えるようにしたので、容易に、機能別の接続状態をチェックすることができる。また、従来のように、機能別にコネクタを変える必要がないので、コストダウンを図ることができる。
【００４９】
また、施工時に電源ＯＮすると、制御部４０は自動的にテストモードになるので、確実にチェックを行うことができる。また、一定時間経過後に制御部は標準動作モードに切り替わるので、モードスイッチ４１を切り替えることなく、通常使用が可能になる。
【００５０】
また、テストモード時には、蛍光ランプ２１を消灯させないので、通常使用者が誤ってモードスイッチ４１をテストモードに切り替えても、暗くなることによる危険を回避することができる。
【００５１】
また、蛍光ランプ２１の光が人感センサ３０３の検知範囲内に入らないように仕切りカバー３４や仕切り板３５を設けたので、人感センサ３０３が蛍光ランプ２１の光を受光して誤検知するのを回避することができ、人の有無を正確に検知することができる。
【００５２】
また、仕切りカバー３４や仕切り板３５をアース接続するので、ノイズ性能を改善することができる。
【００５３】
また、仕切りカバー３４や仕切り板３５は遮熱機能を有するので、人感センサ３０３の温度上昇を防止することができ、人感センサ３０３の温度上昇に伴う暗ノイズを抑えて、雑音性能を改善することができる。
【００５４】
また、仕切り部品として導光板３６を用いるので、蛍光ランプ２１からの光を遮ることなく人感センサ３０３に入射しないように導くことができ、光出力のロスを抑えることができる。
【００５５】
また、センサケース３１を２パーツで構成し、その分割面３１７が分割面３１７に直交する方向に相互に重なるラップ部３１８を有する構造としたので、蛍光ランプ２１からの光がセンサケース３１内部に侵入するのを防止することができ、照明環境を正確に検知して、蛍光ランプ２１の光出力を適正に制御することができる。
【００５６】
また、センサケース３１の分割面３１７を、蛍光ランプ２１と平行に設けたので、蛍光ランプ２１からの光はセンサケース３１内部に侵入しにくくなる。
【００５７】
また、センサケース３１を、一面が開口した箱部３１Ｃと、開口３１９を覆う蓋部３１Ｄとから構成することにより、蛍光ランプ２１からの光がセンサケース３１内部に侵入するのを防止することができる。
【００５８】
なお、本発明の照明器具は、前述した実施形態に限定されるものでなく、適宜な変形，改良等が可能である。
【符号の説明】
【００５９】
１０  照明器具
２０  器具本体
２１  蛍光ランプ（ランプ）
４０  制御部
４１  モードスイッチ
【図１】
2010244993.tif 000003
【図２】
2010244993.tif 000004
【図３】
2010244993.tif 000005
【図４】
2010244993.tif 000006
【図５】
2010244993.tif 000007
【図６】
2010244993.tif 000008
【図７】
2010244993.tif 000009
【図８】
2010244993.tif 000010
【図９】
2010244993.tif 000011
【図１０】
2010244993.tif 000012
【図１１】
2010244993.tif 000013
【図１２】
2010244993.tif 000014
【図１３】
2010244993.tif 000015
【図１４】
2010244993.tif 000016
【図１５】
2010244993.tif 000017
【図１６】
2010244993.tif 000018
【図１７】
2010244993.tif 000019
【図１８】
2010244993.tif 000020
【図１９】
2010244993.tif 000021